(57)【要約】      （修正有）【課題】プロセスの信頼性を伴った、簡単な製造を可能にする凍結プローブを提供する方法を提供する。【解決手段】凍結プローブの頭部の一部を形成するスリーブ２０を受けるための組立ピン２５を使用し、互いに軸方向にオフセットを有する３つの当接面２７、２９、３０を備え、前記当接面は、チューブ終端部１９へのスリーブ２０およびノズル２４の取り付けに続いて、ノズル２４およびスリーブ２０、特に、チューブ終端部１９の遠位の対向面１８に対しての正確な軸方向の位置決めを行う。その結果、スリーブ２０が閉じられた後に形成される拡張チャンバにおけるノズル２４の位置、および、凍結プローブの機能が確保される。【選択図】図３
2018108347.tif 000002
【特許請求の範囲】
【請求項１】
凍結プローブ（１２）の製造方法であって、
プラスチック材料からなるチューブ素子（１４）が提供され、前記チューブ素子は、少なくとも２つの経路（１６、１７）を含み、
一方のチューブ終端部（１９）において一方の経路（１６）にノズル（２４）が挿入され、
前記チューブ終端部（１９）には、少なくとも前記チューブ素子（１４）の外径と同じ大きさの内径を有するスリーブ（２０）が前記チューブ終端部（１９）を収容し、前記チューブ終端部（１９）を覆って遠位に突出するように設けられ、かつ、さらに、前記スリーブ（２０）を圧入により前記チューブ終端部（１９）に固定するために前記スリーブ（２０）が径方向内方に変形され、または、このとき、
前記スリーブ（２０）の内径よりも大きい外径を有する前記チューブ終端部（１９）がこのスリーブ（２０）に軸方向に圧入されることにより、前記スリーブ（２０）が径方向内方に変形される、
方法。
【請求項２】
前記チューブ終端部（１９）に取り付けられた前記スリーブ（２０）は、遠位において閉止されていることを特徴とする、
請求項１に記載の方法。
【請求項３】
前記スリーブ（２０）の遠位における閉止のために、例えば溶接シーム（２２）による環状密封接続によって前記スリーブ（２９）に液密に接続されるエンドキャップ（２１）が使用されることを特徴とする、
請求項２に記載の方法。
【請求項４】
金属、セラミックまたはプラスチック材料からなる前記ノズル（２４）を前記スリーブ内に挿入し、前記スリーブ（２０）を前記チューブ終端部（１９）上に摺動させるために組立ピン（２５、４１）を使用し、前記組立ピンは、前記スリーブ（２０）のための座部（２７、２８）と、前記ノズル（２４）の当接面（２９）とを有し、前記ノズル（２４）の遠位の端部と前記スリーブ（２０）の遠位の端部との間の所望の軸方向距離に対応して配置される、
請求項１〜３のいずれか１項に記載の方法。
【請求項５】
前記ノズルが配置されていない前記経路（１７）には、変形工程中に、前記経路（１７）の端部に挿入された支持ピン（４２）が配置されることを特徴とする、
請求項１〜４のいずれか１項に記載の方法。
【請求項６】
前記ノズルが配置されていない前記経路（１７）は、変形のステップの間および前記ステップの後に前記経路（１７）を囲む支持構造（３９）によって半径方向に支持されることを特徴とする、
請求項１〜５のいずれか１項に記載の方法。
【請求項７】
ノズル軸（２４ａ）を有するノズル（２４）が遠位に配置された第１の経路（１６）と、前記第１の経路（１６）と少なくとも平行であって遠位に配置された第２の経路（１７）とを有し、前記第２の経路（１７）が前記ノズル（２４）および／または前記第１の経路（１６）の断面よりも大きいチューブ素子（１４）と、
前記チューブ素子（１４）の遠位のチューブ終端部（１９）上に配置され、少なくとも完全に組み立てられた状態の内部隙間が前記チューブ素子（１４）の外径よりも小さいスリーブ（２０）と、
前記スリーブ（２０）の遠位に配置され前記スリーブを閉止するエンドキャップ（２１）とを有する、
凍結プローブ（１２）。
【請求項８】
前記スリーブ（２０）が圧入によって前記チューブ終端部（１９）に保持されていることを特徴とする、
請求項７に記載の凍結プローブ。
【請求項９】
前記スリーブ（２０）と前記エンドキャップ（２１）との間は、例えば、環状の溶接シーム（２２）のようなきつい接続により、互いに密封接続されていることを特徴とする、
請求項７または８に記載の凍結プローブ。
【請求項１０】
スリーブ（２０）とエンドキャップ（２１）は、継ぎ目なく一体に形成されていることを特徴とする、
請求項７〜９のいずれか１項に記載の凍結プローブ。
【請求項１１】
前記ノズル（２４）は前記チューブ終端部（１９）から突出するように配置され、前記ノズル軸（２４ａ）は経路（１６）に挿入されていることを特徴とする、
請求項７〜１０のいずれか１項に記載の凍結プローブ。
【請求項１２】
前記ノズル（２４）には固定構造（３６、３７、３８）が設けられていることを特徴とする、
請求項７〜１１のいずれか１項に記載の凍結プローブ。
【請求項１３】
前記ノズル（２４）は、前記スリーブ（２０）またはその少なくとも１つの圧縮ゾーン（３１、３２）を通って延びるように配置されていることを特徴とする、
請求項７〜１２のいずれか１項に記載の凍結プローブ。
【請求項１４】
前記第２の経路（１７）には、支持構造（３９）が設けられていることを特徴とする、
請求項７〜１３のいずれか１項に記載の凍結プローブ。
【請求項１５】
前記スリーブ（２０）は、前記チューブ終端部（１９）を圧縮するために、少なくとも１つの圧縮ゾーン（３１、３２）において半径方向内向きに変形されていることを特徴とする、
請求項７〜１３のいずれか１項に記載の凍結プローブ。
【発明の詳細な説明】
【技術分野】
【０００１】
本発明は、凍結プローブおよび凍結プローブの製造方法に関する。
【背景技術】
【０００２】
医学において、凍結プローブは、生物学的組織上で冷環境で動作するように配置される。このような凍結プローブは、独国特許出願公開第１０２００９０１８２９１号明細書から推論することができる。この凍結プローブは、先端部に、冷却剤を介して内部を冷却することができる、特定の用途のために特別に構成された金属ヘッドを有する可撓性のあるチューブを備えている。そうすることで、生体組織がヘッドに凍結され、例えば生検の目的で周囲組織から分離されて摘出されることが達成され得る。
【０００３】
遠位に設けられたヘッドと可撓性チューブとの間の接続は、液密であり、引張強度を示さなければならない。さらに、患者の狭い内腔および血管内でプローブを前進させることができるようにするために、非常に小さい直径を有する凍結プローブがしばしば望ましい。
【０００４】
さらに、凍結プローブを追加の滅菌処理なしで患者に使用できるように、滅菌形態の凍結プローブを提供することは、製造者側でしばしば望ましいことである。その目的は、使い捨て製品などの器具をコスト効率良く提供することである。
【発明の概要】
【発明が解決しようとする課題】
【０００５】
これを考慮して、本発明の目的は、凍結プローブを提供する方法を述べることであり、この方法は、プロセスの信頼性を伴った、凍結プローブの簡単な製造を可能にする。さらに、本発明の目的は、本発明による方法を用いて製造することができ、前述の必要条件の少なくともいくつかを満たす凍結プローブを提供することである。
【課題を解決するための手段】
【０００６】
製造方法に関する目的の部分は、請求項１に記載の方法によって達成される。
【０００７】
本発明によれば、この方法は、凍結プローブの製造が、少なくとも２つの経路を有するチューブ素子に基づいており、２つの経路の内の１つのチューブの一端には、好ましくは予め製造された別個の構成要素の形態のノズルが挿入されている。また、チューブ終端部には、チューブ終端部を収容し、チューブ終端部を越えて、チューブ終端部の表面側、好ましくは平坦な端面よりも遠位に突出するように、スリーブが外側に設けられる。その後、スリーブは、成形プロセスの間、圧接によってチューブ終端部に固定されるように内側に変形される。あるいは、スリーブは、組み立て前であっても、チューブの端部の外径よりも小さい内径を有し、このスリーブの内径は、このスリーブ内に軸方向に押し込まれる。両方の場合において、スリーブは、最後に完全に組み立てられた状態の内径を有し、チューブ素子の外径よりも小さい。その結果、チューブ終端部におけるスリーブの圧入が確実に行われる。
【０００８】
原理的には、スリーブは、その遠位の端で閉じられてもよく、またはその後に閉じられてもよい。これは、環状封止接続部、例えば溶接シームによってスリーブの遠位を閉じるために封止様式でスリーブに接続されたエンドキャップによって達成されてもよい。好ましくは、スリーブがチューブの端部に取り付けられた後に溶接シームが施される。あるいは、チューブ終端部は、前述の方法のうちの１つに従って、例えば環状の溶接シームによってスリーブを適用する前に、スリーブに接続されてもよい。スリーブとエンドキャップとを一体に、すなわち、継ぎ目なく一体に構成し、同じ材料で構成することも可能である。
【０００９】
金属圧着スリーブに代わるものとして、熱伝導性プラスチック材料のプローブチップとプラスチックコーティングを使用することも可能である。例えば、超音波溶接によって漏れ防止および圧縮強度が達成される。
【００１０】
前記方法による凍結プローブの製造は、両側が開放されたスリーブを用いることが好ましい。次いで、スリーブは、スリーブが当接される堅固な当接面を有する組立ピンにはめ込まれ、組立中にスリーブをチューブ終端部に軸方向に位置決めするように配置される。組立ピンは、チューブ終端部の始端面からスリーブの終端面まで所望の距離が確保されるように、チューブ終端部の表側の境界に配置された環状当接面に突起を有してもよい。このようにして、簡単な接合プロセスの間に、スリーブがチューブの端部に対して所望の重なりを有することが確実に保証される。
【００１１】
また、このプロセス工程の間、ノズルのチューブ終端部への挿入は、組立ピンの補助により行われてもよい。ピン内に収容されたまたは予めチューブ終端部に一方の端部が配置されたノズルを、組立ピンのノズル当接面によるスリーブとチューブの接合プロセスの間に、チューブ終端部に挿入することができ、その結果、ノズルは、所望の手段、特にチューブ終端部の端面の軸方向の正確な重なりにより、軸方向に正確にチューブ終端部の上に突出する。３つの別個の当接面（スリーブ、チューブ終端部およびノズル用）を有する組立ピンによるこの接合プロセスによって、スリーブ、ノズル、およびチューブ終端部のフェース面は、互いに対して所望の寸法関係に正確に位置決めされる。その結果、キャップによってスリーブを閉止した後、キャップによって画定された流れ状態が、このように設けられた拡張チャンバ内で生成され、簡単な方法で、凍結プローブの正確な熱機能を保証することが可能となる。特に、凍結プローブが均一にまたは所望の冷分布で確実に冷却され、したがって、その後の使用中に所望の外科的効果を生じることが保証され得る。
【００１２】
所望であれば、このようにして製造される凍結プローブは、接着剤を用いて製造することができる。拡張チャンバとチューブとの間のシールは、チューブ自体のプラスチック材料によって達成され、シール自体のように機能する。キャップとスリーブとの間のシールは、例えば、溶接シームによって達成される。ノズルとチューブの経路の内壁との間のシールは、チューブ材料自体によって提供され、前記材料は、この程度のシールとしても機能する。
【００１３】
必要に応じて、この製造方法は、製造中に液体シーリングおよび接着材料なしで使用することができ、クリーンルームでの使用に適している。これは、滅菌製品としての製造を容易にし、そのための経費を削減する。
【００１４】
凍結プローブ素子は、２つ以上の経路を有する単一のチューブとして構成されてもよい。しかしながら、互いに接続された２つ以上のチューブを設けることも可能である。これを達成するために、例えば、それらは、スリーブを収容するように配置されたプラスチック本体内のチューブ終端部に保持される。上記または後に説明される残りの実施の形態は、２つ以上の経路を有する一体型チューブのようなチューブデバイスに提供される。
【００１５】
ノズルは別個の構成要素であり、特にその円筒状の外周面にチューブ終端部に係合するための固定構造を設けることができる。例えば、固定構造は、例えば、三角形の断面を有し、例えば環状のリブが局所的にまたは周辺に延びるように設けられてもよい。また、固定構造は、微細な窪みまたは隆起、すなわち、周囲の外側の全表面または部分に形成された粗い領域またはローレットから構成されてもよい。
【００１６】
特に、スリーブが内向きに、すなわち半径方向内向きの力を及ぼす成形ゾーン内で変形された領域では、スリーブは支持構造を備えていてもよい。この支持構造は、ノズル自体によって形成されてもよい。この結果、ノズルは経路内にしっかりと保持され、存在する場合にはその固定構造によって保持される。スリーブの半径方向内向きの変形のために、ａ）スリーブは、後に適用されるエンドキャップを有するチューブ上で軸方向に摺動不能となり、ｂ）ノズルは、チューブの経路内で軸方向に摺動不能に固定される。
【００１７】
さらに、支持構造は、自由経路、すなわちノズルを収容しない経路に配置することができる。適切な支持構造は、例えば、金属管部分、例えば、経路の中のらせん状のばねのワイヤ構造、または、チューブ材料の剛性よりも大きい剛性を示すプラスチック材料で構成された、問題の経路である。特に、堅いプラスチック材料で構成された経路の場合、支持構造はチューブの全長に沿って延在することができる。そのような単一経路または多経路のチューブは、例えば共押出物として提供される。
【００１８】
スリーブの半径方向内向きの変形は、スリーブの円周周りに配置された２つ以上の締め具を含む成形工具によって達成することができ、締め具は、圧縮プロセスの間にスリーブを変形させ、これにより前記スリーブの内径が減少し、前記チューブの端部が所定の位置に締め付けられる。変形は、例えば、スリーブの円周に沿って配置された１つ以上のロールを回転させることによっても達成され得る。あるいは、変形は、電磁的な成形方法によって非接触で行われてもよい。そうするために、スリーブは、スリーブ内に渦電流を誘導する電流パルスが印加される磁気コイル内に配置されてもよい。渦電流は、ローレンツ力により交互にスプール電流と相互作用し、スリーブを少なくとも環状ゾーン内で半径方向内側に変形させる。
【００１９】
あるいは、スリーブは、形状記憶材料、特に例えばニッケルチタン合金（ニチノール）等の形状記憶金属で形成されてもよい。次に、例えば、スリーブは、低温で内径がチューブの外径よりも大きくなるように広げられた状態で提供される。スリーブは、加熱されると再びチューブの内径が外径よりも小さい元の形状に戻る。
【００２０】
請求項に示す主題または図面について実施の形態に説明する。
【図面の簡単な説明】
【００２１】
【図１】図１は、本発明に係る凍結プローブの概略図である。
【図２】図２は、図１に係る凍結プローブの断面の縦断面図である。
【図３】図３は、組立ピンを使用して、図１および図２に係る凍結プローブを提供するための製造工程の分解図である。
【図４】図４は、本方法を実施するための組立ピンの別の実施の形態を示す図である。
【図５】図５は、図３による組立ピンおよび内部に配置された内部支持体を有するチューブを用いた、図２による凍結プローブの製造中の断面図である。
【図６】図６は、図４に係る組立ピンの側面図である。
【図７】図７は、凍結プローブを提供するためのチューブ素子の様々な実施の形態の斜視図である。
【図８】図８は、凍結プローブを提供するためのチューブ素子の様々な実施の形態の斜視図である。
【図９】図９は、凍結プローブ用のノズルの様々な実施の形態の縦断面図である。
【図１０】図１０は、凍結プローブ用のノズルの様々な実施の形態の縦断面図である。
【図１１】図１１は、スリーブ組立工程を説明するためのエンドキャップのない凍結プローブの正面図である。
【発明を実施するための形態】
【００２２】
図１は、例えば生体組織の低温治療のために使用することができる凍結プローブ１２を示している。凍結プローブ１２は、例えば、組織サンプルの摘出のために気管支鏡で使用することができる。これを行うために、凍結プローブ１２は、例えば柔軟な気管支鏡を用いて、肺、例えばヘッド１３が生体組織と接触する胸膜まで挿入される。膨張または蒸発する、すなわち例えばＮ２またはＣＯ２などの気体または液体低温流体の使用により、ヘッド１３の少なくとも一部は、それと接触する生物学的組織が凍結する程度まで冷却され、組織の摘出が望まれる場合には、ヘッド１３に組織を付着させ、ヘッド１３と共に胸膜から摘出することができる。
【００２３】
図２は、凍結プローブ１２の典型的な構成を示す。凍結プローブ１２は、本実施の形態では、第１の経路１６と第２の経路１７とを有する可撓性のあるプラスチックチューブ１５によって形成されるチューブ素子１４を備える。２つの経路１６、１７は、異なる直径を有していてもよい。好ましくは、第２の経路１７の断面は、第１の経路１６の断面より１.１から２.５倍大きい方がよい。両方の経路１６、１７は、好ましくは、互いに平行に延び、プラスチックチューブ１５の全体の長さと同じ長さを有し、両者は前記チューブの遠位の、好ましくは平坦な端面１８で終端する。
【００２４】
プラスチックチューブ１５は、凍結プローブ１２のヘッド１３を支持するチューブ終端部１９を有する。ヘッド１３は、チューブ終端部１９に保持され端面１８以遠に延びるスリーブ２０を備える。スリーブ２０は、スリーブに液密に接続されたエンドキャップ２１を保持する。これを達成するために、エンドキャップ２１は、好ましくは、スリーブ２０の遠位端に、例えば環状のレーザ溶接シームまたは別の溶接シームによってスリーブに溶接されている。したがって、エンドキャップ２１は、第１の経路１６を介して供給され、ノズル２４を介して拡張チャンバ２３に注入されるクライオ流体用の拡張チャンバ２３を遠位に有している。ノズルは、金属、セラミックまたは プラスチック材料からなり、この場合、プラスチック材料は、好ましくは、プラスチックチューブの材料とは異なるプラスチック材料である。
【００２５】
ノズル２４のノズル軸２４ａは、端面１８に隣接する第１の経路１６の端部に保持、例えばクランプされる。端部側では、ノズル２４は、端面１８で終わっていてもよいし、好ましくは、図２に示すように、経路１６から拡張チャンバ２３内にわずかに突出していてもよい。その際、ノズルの軸方向の位置は、拡張チャンバ２３内の流動条件に影響を及ぼし、従って、正しい機能のために不可欠である。
【００２６】
好ましくは、ノズル２４は、ノズル２４内の中心に配置された実質的に円形のノズルオリフィスを有し、したがって、ノズルが保持される経路に対して中心に位置する。これは、ノズルの位置合わせが経路１６に挿入される前に必要でないので、製造を単純化する。しかし、非対称の配置も可能であり、これは潜在的に冷却分布に効果をもたらす。
【００２７】
これまで説明した凍結プローブ１２の製造は、少なくとも部分的には図３に示されている。そうするために、プラスチックチューブ１５は、先ず最初に、少なくとも経路１６に十分に挿入されるノズル２４に供給され、前記チューブ内に前記ノズルを少なくとも一時的に保持する。さらに、スリーブ２０は、この目的のためにスリーブ受け２６を含む組立ピン２５にセットされる。組立ピン２５は、突出部２８の周りを延びる環状の好ましくは平らな圧縮表面２７を含む。例えば、この突出部２８は、スリーブ２０の内径に対応する外径を有する円筒状の周面を有し、スリーブ２０は、 突起２８に差し込まれ、次いで該突起上に保持される。突出部および圧縮表面２７は、共にスリーブ２０のための台座を形成する。
【００２８】
突起２８は、その面側にオフセットを有することが好ましい。前記突出部は、ノズル２４用の第１の当接面２９と、第２の経路１７の領域においてプラスチックチューブ１５の端面１８と接触する第２の当接面３０とを備える。
【００２９】
スリーブ２０およびノズル２４をプラスチックチューブ１５のチューブの終端部１９へ取り付ける方法は、図５から推測することができる。ノズル２４のノズル軸２４ａが部分的に挿入されるプラスチックチューブ１５と、スリーブ２０に設けられた組立ピン２５は、まず、チューブの終端部１９がスリーブ２０内に移動し、第１の当接面２９がノズル２４の終端面に当接するように、互いに軸方向に移動する。次に、突起２８の第２の当接面３０がプラスチックチューブ１５の遠位の端面１８に接触するまで、軸方向移動が続けられる。この状態では、スリーブ２０およびノズル２４は、遠位の端面１８に対して明確な軸方向位置を示し、それにより、後に示す凍結プローブ１２の機能に不可欠な基礎構成を提供する。
【００３０】
ここまで説明した結合プロセスは、スリーブ２０がプラスチックチューブ１５の外径よりも小さい直径を有する第１の実施の形態および第２の実施の形態において採用され得、スリーブ２０の内径は、プラスチックチューブ１５の外径と少なくとも同じ大きさである。
【００３１】
最初に述べた実施の形態を参照すると、スリーブ２０は、その近位端に、特に図示されていない挿入面取り部を有していてもよい。これに代えてまたは加えて、プラスチックチューブ１５の端面１８は、その半径方向の外縁部において、チューブ側の挿入面取り部を形成する円錐面に移行することができる。この結果、スリーブ２０をチューブ終端部１９に圧入し、ノズル２４をチューブ終端部１９に圧入することによりスリーブ２０を固定することができる。既に述べた第２の実施の形態を参照すると、スリーブ２０は、チューブ終端部１９への適用に続いて、少なくとも部分的には半径方向内向きに変形されて収縮される。図２は、スリーブ２０の全周にわたって延び、前記スリーブの塑性変形によって達成された２つの軸方向に離間した、それぞれ環状の圧縮ゾーン３１、３２を有するそのようなスリーブ２０を示す。塑性変形は、スリーブ２０を収容する圧縮プロセス中に半径方向内方に移動する２つ以上の締め具によって達成されてもよい。締め具は、１つのロールまたは圧縮スリーブ２０の周囲を１回以上回転する複数のローリングツールであってもよい。さらに、スリーブは、部分的にまたは完全に、パルス状磁場を用いて電磁成形によって、すなわち径方向内側に変形されて構成することができる。その際、原則として、ワークピースに対する機械的接触は必要ではないので、スリーブの表面汚染を排除することができる。この方法は、クリーンルーム条件下で使用することができる。
【００３２】
これに加えて又はこれに代えて、前述の全ての実施の形態の場合には、チューブ終端部１９に適切な接続手段、例えば接着剤でスリーブ２０を固定することが可能である。これは、二成分系接着剤（ポリウレタン接着剤またはエポキシ接着剤）、高弾性シアノアクリレート、ＵＶ硬化性接着剤、好気性硬化性接着剤、嫌気硬化性接着剤または溶剤含有接着剤であってもよい。接着を促進するために、チューブ終端部１９を予め調整することができる。これは、例えば、粗面化、プラズマ活性化、またはプライマーを用いて達成することができる。しかし、好ましくは、接着剤は省略される。
【００３３】
また、ノズル２４（すなわち、特にノズル軸２４ａ）も圧入によって保持されることが好ましい。これを達成するために、ノズル２４は、該ノズルが保持される第１の内腔１６よりも僅かに大きい外径を有してもよい。これに加えてまたはこれに代えて、圧入は、少なくともいくつかの領域で、チューブ２０からチューブ終端部１９に向かって半径方向内側に圧力が加えられるように、チューブの内腔１６を圧縮することによっても起こり得る。
【００３４】
ノズル２４およびスリーブ２０をチューブ終端部１９に取り付けた後、エンドキャップ２１が取り付けられる。位置決めを容易にするために、前記エンドキャップは、１つの環状または複数の、例えば、 ３つの、指形状の延長部、またはタブ形状の延長部を備え、スリーブ２０の遠位の端面１８上に突出する部分の上に延在する。また、延長部は、１つまたは複数の不連続部を示す環状延長部として構成することもできる。次いで、最初に取り付けられたエンドキャップ２１は、適切な接合または溶接プロセス、例えばレーザ溶接によって、スリーブ２０に液密に接合することができる。
【００３５】
図１１は、圧縮ゾーン３２の領域を破線で示している。明らかなように、圧縮ゾーン３２の深さは、スリーブ２０の円周に沿って変化してもよい。例えば、経路１６、１７の直近の圧縮ゾーン３２の深さは、経路１６、１７の変形、特に収縮を限度内に維持するために減少させることができる。また、第１の経路１６に対する圧縮作用が、第１の経路１６内のノズル２４の確実な嵌合を促進するときに、第２の経路１７の崩壊を防止するために、第２の経路１７の領域における圧縮ゾーン３２の深さを減少させることも可能である。
【００３６】
さらに、ノズル２４を経路１６内に軸方向に追加的に固定することができる。図９は、滑らかな壁を有するパイプセクション３３を有するノズル２４を示し、前記パイプセクションは、少なくとも１つのノズルオリフィス３６を有する小さなノズルプレート３４によって一端が閉止されている。ノズルプレート３４は、例えばレーザ溶接によってパイプセクション３３に溶接することができる。しかし、狭いノズルプレート３４を使用する代わりに、成形プロセス中にパイプセクション３３の遠位端部を収縮させて、狭められたノズルオリフィス３５を形成することも可能である。パイプセクション３３に対する狭窄部は、同軸 または偏心などの非対称であってもよいし、パイプセクション３３の軸方向に対して斜めに配置された軸に沿って延びていてもよい。
【００３７】
両方の場合において、チューブ内腔１６内にノズルを軸方向に固定するための構造は、例えば、環状の歯状のリブ３６、３７、３８など、１つ以上のらせん形のリブ、ナブ、例えば粗い領域またはローレット加工がされた不規則な構造により構成されていてもよい。
【００３８】
第１の経路１６は、流体すなわち液体または気体の低温流体を有するノズル２４の供給のために配置される。第２の経路１７は、拡張チャンバ２３から低温流体を排出するために配置されている。第２の経路１７の狭窄部を特にスリーブの領域で最小化または防止するために、チューブ終端部１９または経路１７全体に沿って支持構造３９を設けることが可能である。図５は、そのような構造の概略図である。そこでは、支持構造３９は、図７から推測できるように、第２の経路１７のプラスチック材料のライニングからなる。プラスチックチューブ１５は、一般に、ポリアミド、ポリオレフィン、ペバックス、ポリウレタン、ＰＥＥＫ、ＰＩ、複合材料または他のプラスチック材料からなるが、比較的剛性の高いプラスチック材料または金属編組で構成することができる。支持構造体がチューブ終端部１９に限定されている場合、前記構造体は金属パイプで構成されていてもよい。
【００３９】
また、図８に示すように、チューブ素子１４は、同一かまたは異なる直径を有し、本体のヘッド、好ましくはプラスチック本体４０に埋め込まれたいくつかの、例えば２つのプラスチックチューブ１５、１５ｂで構成されてもよい。これはチューブ終端部１９を形成し、それ以外のところは上記の説明がそれに応じて適用される。
【００４０】
製造、特にチューブ終端部１９のノズル２４およびスリーブ２０への接合は、より洗練された実施の形態では、代わりに図４および図６に示すように組立ピン４１を使用して行うこともできる。この場合、第２の当接面３０に支持ピン４２が配置され、この支持ピンは、第２の経路１７の内径に実質的に対応するか、またはそれよりわずかに小さい外径を有する。この組立体を参照すると、支持ピン４１は、第２の経路１７内に移動し、また、特に、経路１７内のスリーブ２０の半径方向内向きに変形し、経路１７内にとどまる。そうすることで、支持ピン４２は、スリーブ４０の内向きの変形の結果として経路１７が崩壊または収縮されるのを抑制する。
【００４１】
これまでに説明した製造方法をさらに変更してもよい。
【００４２】
支持ピン４２は、スリーブ２０の半径方向内向きの変形中に第２の経路１７が崩壊するのを防止するために、第２の当接面３０のフェース側当接部に当接して接合工程中に第２の経路１７に順に挿入される薄肉の小チューブを収容する。さらに、突出部２８をオフセットなしに構成することが可能であり、この場合、当接面２９は、当接面３０の凹部に設けられる。底部が当接面２９である凹部は、接合プロセス中に第１の内腔１６に挿入されるノズル２４の遠位端の収容のために配置される。次に、凹部の深さは、完全に組み立てられた状態でのノズル２４の遠位の端面１８を越える重なりを決定する。この実施の形態は、図４および図６に示した組立ピン４１と同様、図３に示した組立ピン２５に適用することができる。凹部は、円筒形の回転対称ノズルを収容するために円形であってもよい。ノズルオリフィスが偏心または斜め方向に延びるように構成されているためにノズルが回転対称でない場合、ノズルはツイスト・プロテクション構造を有し、例えば、ラグまたは凹部などと一致していてもよく、別の適切な方法で非円形であってもよい。そして、凹部は対応して非円形の形状を有する。
【００４３】
凍結プローブの本発明の製造方法は、凍結プローブのヘッド１３の一部を形成するスリーブ２０を受け入れるための組立ピン２５を使用し、互いに軸方向にずれた３つの当接面２７、２９、３０を備え、スリーブ２０およびノズル２４をチューブ終端部１９に取り付けることに続いて、特にチューブ終端部１９の遠位の端面１８に対するノズル２４およびスリーブ２０の正確な軸方向の位置決めを確実に行う。その結果、スリーブ２０が閉じられた後に形成された拡張チャンバ２３内のノズル２４の位置および凍結プローブの機能は、確保される。
【符号の説明】
【００４４】
１２  凍結プローブ
１３  凍結プローブ１２のヘッド
１４  チューブ素子
１５  ２つの内腔のプラスチックチューブ
１６  チューブ素子１４の第１の経路
１７  チューブ素子１４の第２の経路
１８  プラスチックチューブ１５の遠位の端面
１９  プラスチックチューブ１５の終端部
２０  スリーブ
２１  エンドキャップ
２２  レーザ溶接シーム
２３  拡張チャンバ
２４  ノズル
２４ａ  ノズル軸
２５  組立ピン
２６  スリーブ受容体
２７  圧縮表面
２８  突起／台座
２９  突起２８の第１の当接面
３０  突起２８の第２の当接面
３１、３２  圧縮ゾーン
３３  滑らかな壁面のパイプセクション
３４  ノズルプレート
３５  ノズルオリフィス
３６、３７、３８  歯列リブ
３９  支持構造
４０  プラスチックボディ
４１  組立ピン
４２  支持ピン
【図１】
2018108347.tif 000003
【図２】
2018108347.tif 000004
【図３】
2018108347.tif 000005
【図４】
2018108347.tif 000006
【図５】
2018108347.tif 000007
【図６】
2018108347.tif 000008
【図７】
2018108347.tif 000009
【図８】
2018108347.tif 000010
【図９】
2018108347.tif 000011
【図１０】
2018108347.tif 000012
【図１１】
2018108347.tif 000013
【外国語明細書】
2018108347.tif 000014
2018108347.tif 000015
2018108347.tif 000016
2018108347.tif 000017
2018108347.tif 000018
2018108347.tif 000019
2018108347.tif 000020
2018108347.tif 000021
2018108347.tif 000022
2018108347.tif 000023
2018108347.tif 000024
2018108347.tif 000025
2018108347.tif 000026
2018108347.tif 000027
2018108347.tif 000028
2018108347.tif 000029
2018108347.tif 000030
【図１】
2018108347.tif 000031
【図２】
2018108347.tif 000032
【図３】
2018108347.tif 000033
【図４】
2018108347.tif 000034
【図５】
2018108347.tif 000035
【図６】
2018108347.tif 000036
【図７】
2018108347.tif 000037
【図８】
2018108347.tif 000038
【図９】
2018108347.tif 000039
【図１０】
2018108347.tif 000040
【図１１】
2018108347.tif 000041